(57)【要約】      （修正有）【課題】ロック部材をロック位置に移動させた時、アダプタ本体下面部に設けてあるコネクターが接続可能に露出すると共に、シーリング本体へアダプタ本体を取付けた時、その嵌合装着の状態を確認ゲージにより確認可能な天井直付け照明器具取付装置を提供する。【解決の手段】アダプタ本体１に照明器具本体６と着脱自在に係合する一対の係止部材１０を出没自在に、且つ、突出方向に付勢して設け、前記係止部材１０と一体に形成された解除突片１２にロック部材２１をロック位置に移動し係合させた時、アダプタ本体１に設けてある電源用のコネクター（ａ）２５が接続可能に露出する。また、ロック釦（ｂ）１６に確認ゲージ部１９を識別可能に着色して設け、シーリング本体３とアダプタ本体１の嵌合装着状態をアダプタ本体１の下面部に設けてある確認窓２０より確認ゲージ部１９が出没する構造とした照明器具取付装置。【選択図】      図４
2006012754.tif 000002
【特許請求の範囲】
【請求項１】
天井に装着可能なアダプター本体に、照明器具本体と着脱自在に係合する一対の係止部材を出没自在に、且つ、突出方向に付勢して設けると共に、前記係止部材の解除突片に係合し、係止部材の没入を規制するロック位置と、前記係止部材の解除突片から離脱したロック解除位置との間を移動可能なロック部材を設け、前記ロック部材をロック位置に移動した時、前記ロック部材の外郭内部に隠れていた電源用のコネクターが接続可能に露出することを特徴とする天井直付け照明器具取付装置。
【請求項２】
前記照明器具取付装置において、シーリング本体へアダプタ本体を取付装着した時、前記アダプタが不完全に取り付けられた場合、アダプタ本体の下面に設けてある確認窓より確認ゲ−ジが識別可能に突出する確認手段を備えた請求項１記載の天井直付け照明器具取付装置。
【発明の詳細な説明】
【技術分野】
【０００１】本発明は、天井面に装着されたシーリングローゼットに着脱自在に取付けられて、照明器具本体を支持する天井直付け照明器具取付装置に関する。
【背景技術】
【０００２】天井に装着されたシーリングローゼットに着脱可能に取付けられるアダプタを有し、照明器具本体と着脱自在に係合する係止爪を、アダプタ本体の両側面に出没自在に、且つ、突出方向に付勢してそれぞれ設け、アダプタ本体の下面に、付勢力に抗して係止爪を没入した状態に移動させる一対の解除突片を設け、その解除突片に係合、離脱して係止爪の没入を規制するロック位置とロック解除位置との間を回動するロック操作を設けた天井直付け照明器具の取付装置を特開平９−９２０２０号公報として提案している。しかし、このものは、一対の解除突片を近接する方向に移動することで係止爪をアダプタに没入するものであり、特開平２０００−３０５２３号公報に示すような、一対の解除突片を離間する方向に移動することによって係止爪をアダプタに没入するものに適用することは不可能であった。
【発明の開示】
【発明が解決しようとする課題】
【０００３】この発明は、一対の解除突片を離間する方向に移動することによって、係止部材をアダプタ本体に没入させるものに適用できると共に、ロック部材を解除突片に移動させロック位置に係合させた時、コネクターが接続可能に露出されることを可能にすると共に、シーリング本体へアダプタ本体を取付装着した時、前記アダプタ本体が不完全に取付けられた状態において、アダプタ本体の下面に設けてある確認窓より確認ゲージが突出し、使用者に確認を促すことを可能にした天井直付け照明器具取付装置を提供する。
【課題を解決するための手段】
【０００４】本発明の天井直付け照明器具取付装置は、天井に装着可能なアダプタ本体に照明器具本体と着脱自在に係合する一対の係止部材に解除突片を一体に形成し、前記係止部材を出没自在に、且つ、突出方向に付勢して設けると共に、前記係止部材に一体に形成された解除突片に係合して、係止部材の没入を規制するロック位置と、前記解除突片から離脱した解除位置との間を移動可能なロック部材を設けた構造とした。また、前記ロック部材が解除位置において、電源接続用のコネクターは、ロック部材の外郭内部に隠れた状態になっているが、前記ロック部材をロック位置に移動することにより電源接続用のコネクターは、接続可能に露出される。【０００５】上述の構成に加え、アダプタ本体をシーリング本体に嵌合取付をする場合、アダプタ本体に設けてある栓刃をシリーング本体の栓刃挿入口に挿入させ、止まるまで廻して取付る操作が必要である。前記アダプタ本体の取付における中途嵌合を防止する手段として、アダプタ本体に設けてあるロック釦をシーリング本体の栓刃挿入口へ挿入嵌合される爪部及び確認ゲージ部を識別可能に、例えばロック釦を赤の着色成形材を使用するなどし、アダプタ本体とシーリング本体が中途嵌合に取付けられた場合、ロック釦の爪部先端はシーリング本体の下面部端面に押され没入状態となり、ロック釦のゲージ部はアダプタ本体の下面にある確認窓より識別可能に突出する。
【発明の効果】
【０００６】請求項１に係わる発明によれば、ロック部材をロック位置に移動させることにより、照明器具本体と係合してこれを支持する係止部材の没入が規制されるので、ランプ交換時の際に誤って係止部材に接触したり、強い振動があっても、係止部材が没入して照明器具本体がアダプタ本体から外れ、落下する心配がない。また、ロック部材をロック位置まで移動させる操作をしないと電源接続用のコネクターは接続可能に露出されず、必ずロック部材のロック操作を行ってから電源用のコネクターを接続するという効果がある。【０００７】請求項２に係わる発明よれば、アダプタ本体を天井に設置してあるシーリング本体に取り付ける際、中途嵌合に取付けられた場合、アダプタ本体の下面に設けてある確認窓より識別可能に突出し、使用者に確認を促す効果がある。
【発明を実施するための最良の形態】
【０００８】以下、本発明の実施の形態を図面を参照して説明する。図１は、シーリング本体３の下方向から見た斜視図である。アダプタ本体１に設けてある栓刃１４を挿入嵌合される幅広部５と栓刃挿入口４を備えている。【０００９】図２は、当核照明器具取付装置の使用状態を示す側面図である。当核照明器具取付装置は天井２に設置されたシーリング本体３に対して着脱自在に取り付けられるアダプタ本体１を有する。シーリング本体３の下面には、弧状の栓刃挿入口４が一体形成され、アダプタ本体１の上面には、栓刃挿入口４に抜押自在に挿入されて、係合される一対の栓刃１４が設けられている。【００１０】アダプタ本体１はアダプタ本体外郭（ａ）８とアダプタ本体外郭（ｂ）９から成り、照明器具本体６を支持する一対の係止部材１０が、径方向に沿って摺動可能に収納される。また、アダプタ本体１の側面には、径方向に移動可能なロック釦（ａ）１５とロック釦（ｂ）１６が設けられ、このロック釦（ａ）１５を押すことで、栓刃挿入口４に対する栓刃１４の回転が可能となり、アダプタ本体１をシーリング本体３から外すことができる。【００１１】図３及び図４は、当核照明器具取付装置におけるロック部材が解除位置にある下面図及び斜視図である。ロック部材２１には解除位置とロック位置の移動を可能にする肩部２３を設け、アダプタ本体１には前記ロック部材２１の肩部２３を移動可能に係合する肩受け部２４を設けてある。係止部材１０と一体に形成されている解除突片１２に係合するロック部材２１は解除位置にあるので照明器具本体６の着脱を可能にしている。また、ロック部材２１が解除位置にある時、破線で図示する電源接続用のコネクター（ａ）２５は、ロック部材２１の外郭内部に隠れた状態に収まっている。【００１２】図５及び図６は、当核照明器具取付装置におけるロック部材がロック位置にある下面図及び斜視図である。ロック部材２１はロック位置に移動することで係止部材１０と一体に形成されている解除突片１２に係合されて前記係止部材１０の没入を規制する。また、ロック部材２１をロック位置に移動することによりアダプタ本体１の下面に設けてあるコネクター（ａ）２５が接続可能に露出され、電源接続が可能となる。【００１３】図７は、シーリング本体とアダプタ本体が正常に嵌合装着された状態の部分断面図である。アダプタ本体１がシーリング本体３に正常に嵌合装着された場合、スプリング１７で常に突出方向へ付勢状態にある爪部１８は、シーリング本体３の栓刃挿入口４の幅広部５へ突出状態に装着され、ロック釦（ｂ）１６に設けてある確認ゲージ部１９はアダプタ本体１に設けてる確認窓２０を没入状態となっている。【００１４】図８及び図９はシーリング本体とアダプタ本体が途中嵌合に装着された状態の部分断面図及び斜視図である。シーリング本体３とアダプタ本体１が不完全に装着された場合、ロック釦（ｂ）１６に設けてある爪部１８はシーリング本体３に設けてある栓刃挿入口４の幅広部５に突出挿入されることなく、前記シーリング本体３の下面部外郭に当接し没入状態になる為、確認ゲージ部１９はアダプタ本体１の下面部に設けてある確認窓２０より識別可能に突出する。【００１５】以上により、前記係止部材１０の没入を規制するロック手段にすることで照明器具本体６を取り付ける手順として、シーリング本体３へアダプタ本体１を取り付ける際、正常に取り付けられているかを識別可能に確認できると共に、ロック部材２１をロック位置に移動させなければコネクター接続はできないという安全対策を施した照明器具取付装置である。
【図面の簡単な説明】
【００１６】
【図１】シーリング本体の斜視図
【図２】本発明における照明器具取付装置の使用状態を示す側面図。
【図３】ロック部材が解除位置にある本発明の取付装置の下面図。
【図４】ロック部材が解除位置にある本発明の取付装置の斜視図。
【図５】ロック部材がロック位置にある本発明の取付装置の下面図。
【図６】ロック部材がロック位置にある本発明の取付装置の斜視図。
【図７】シーリングとアダプタが正常に嵌合装着された状態の部分断面図。
【図８】シーリングとアダプタが途中嵌合に装着された状態の部分断面図。
【図９】シーリングとアダプタが途中嵌合に装着された状態の部分拡大斜視図。
【付号の説明】
【００１７】  １  アダプタ本体  ２  天井  ３  シーリング本体  ４  栓刃挿入口  ５  幅広部  ６  照明器具本体  ７  受け部  ８  アダプタ本体外郭（ａ）  ９  アダプタ本体外郭（ｂ）１０  係止部材１１  係止爪１２  解除突片１３  開口部１４  栓刃１５  ロック釦（ａ）１６  ロック釦（ｂ）１７  スプリング１８  爪部１９  確認ゲージ部２０  確認窓２１  ロック部材２２  操作片２３  肩部２４  肩受け部２５  コネクター（ａ）２６  コネクター（ｂ）
【図１】
2006012754.tif 000003
【図２】
2006012754.tif 000004
【図３】
2006012754.tif 000005
【図４】
2006012754.tif 000006
【図５】
2006012754.tif 000007
【図６】
2006012754.tif 000008
【図７】
2006012754.tif 000009
【図８】
2006012754.tif 000010
【図９】
2006012754.tif 000011